(57)【要約】【課題】貯湯タンクを収納するケーシング内において機器の設置位置を選定してケーシングのコンパクト化を図った給湯装置を提供する。【解決手段】底部に給水口１１を、天井部に湯を送出す第１の出湯口１２をそれぞれ備えた貯湯タンク１３と、貯湯タンク１３を収納する平断面矩形のケーシング２５とを有する給湯装置１０において、太陽熱集熱部１７と、貯湯タンク１３の底部内側に収納された熱交換部１８と、熱交換部１８から太陽熱集熱部１７に熱媒を流す循環ポンプ１９が設けられた往き配管２０及び太陽熱集熱部１７から熱交換部１８に熱媒を流す戻り配管２１を備えた太陽熱加熱手段２３を付加し、循環ポンプ１９とアキュームタンク４０をケーシング２５内に収納すると共に、アキュームタンク４０内の熱媒圧力の変動に伴ってアキュームタンク４０との間で熱媒の授受を行うリザーブタンク４２、４３をケーシング２５の矩形角部に配置した。【選択図】図１
2010145042.tif 000002
【特許請求の範囲】
【請求項１】
底部に水が流入する給水口を、天井部に貯留された湯を送出す第１の出湯口をそれぞれ備えた貯湯タンクと、該貯湯タンクを収納する平断面矩形のケーシングとを有する給湯装置において、
前記ケーシング外にあって熱媒を加熱する太陽熱集熱部と、前記貯湯タンクの底部内側に収納された熱交換部と、該熱交換部から該太陽熱集熱部に熱媒を流す循環ポンプが設けられた往き配管及び該太陽熱集熱部から該熱交換部に熱媒を流す戻り配管を備えた熱媒循環路とを有する太陽熱加熱手段を付加し、
前記循環ポンプの上流側の前記往き配管に設けられ熱媒が一時貯留されるアキュームタンクと、該アキュームタンク内の熱媒の圧力が上昇した際に該アキュームタンクから流出する熱媒を受入れ、該アキュームタンク内の熱媒の圧力が減少した際に熱媒を該アキュームタンクに供給するリザーブタンクと、前記循環ポンプとを前記ケーシング内に配置し、しかも、前記リザーブタンクを前記ケーシング内の矩形角部に配置したことを特徴とする給湯装置。
【請求項２】
請求項１記載の給湯装置において、前記貯湯タンクは、前記第１の出湯口が天井部に、湯が流入する注湯口が前記天井部又はその周囲に設けられた第１のサブタンクと、前記給水口が底部に設けられると共に該底部内側に前記熱交換部が収納された第２のサブタンクと、該第１のサブタンクの下部と該第２のサブタンクの上部を接続する連通管とを有し、しかも、前記第１のサブタンク及び前記第２のサブタンクは前記ケーシングの底板に並べて立設され、前記リザーブタンクは前記第２のサブタンクと前記ケーシングの隙間に配置されていることを特徴とする給湯装置。
【請求項３】
請求項２記載の給湯装置において、前記リザーブタンクは、底部が連結された第１、第２のサブリザーブタンクからなって、該第１、第２のサブリザーブタンクの底部が連結管を介して前記アキュームタンクに連結され、前記第１、第２のサブリザーブタンクは、前記ケーシングと前記第２のサブタンクとの間に形成される２箇所の隙間にそれぞれ配置され、前記第１、第２のサブリザーブタンクの底部には熱媒の排出機構が設けられていることを特徴とする給湯装置。
【請求項４】
請求項３記載の給湯装置において、前記第１、第２のサブリザーブタンクの上部は第２の連結管を介して連結し、該第１及び第２のサブリザーブタンクの上部と該第２の連結管のいずれか一方又は双方には該第１、第２のサブリザーブタンクを大気開放する通気管が接続されていることを特徴とする給湯装置。
【発明の詳細な説明】
【技術分野】
【０００１】
本発明は、貯湯タンクを収納するケーシングのコンパクト化を図った給湯装置に関する。
【背景技術】
【０００２】
貯湯タンク内の底部内側に熱交換部を設け、熱交換部と太陽熱集熱部との間で熱媒を循環させて太陽熱集熱部で加熱された熱媒で貯湯タンクの水を加熱する太陽熱加熱手段と、貯湯タンクの底部で熱交換部より上方の位置から水をヒートポンプに導き、ヒートポンプで加熱し湯にして貯湯タンクの給湯側に貯めるヒートポンプ式加熱手段とを備えた給湯装置が提案されている（例えば、特許文献１参照）。
【０００３】
【特許文献１】特開２００２−１６２１０９号公報
【発明の開示】
【発明が解決しようとする課題】
【０００４】
一般に、太陽熱加熱手段には、太陽熱集熱部で加熱された熱媒を熱交換部へ流す戻り配管と、熱交換部を通過した熱媒を太陽熱集熱部へ流す往き配管と、往き配管に取付けられ熱媒の膨張、収縮による体積変化を吸収する膨張タンクと、膨張タンクの下流側の往き配管に取付けられた循環ポンプが設けられている。そして、膨張タンクの容量を小さくするため、膨張タンクを、熱交換部から太陽熱集熱部に移動する熱媒を一時貯めるアキュームタンクと、アキュームタンクと連通するリザーブタンクとで構成し、熱媒の膨張時には熱媒をアキュームタンクからリザーブタンクに流し、熱媒の収縮時にはリザーブタンクから熱媒をアキュームタンクに移動させることが行われている。
【０００５】
しかしながら、膨張タンクをアキュームタンクとリザーブタンクで構成すると、貯湯タンクを収納しているケーシング内にアキュームタンクとリザーブタンクを収納する必要が生じ、タンク収納スペースを確保するためケーシングの外寸が大きくなる。このため、ヒートポンプ式加熱手段をベース機器として給湯装置を構成しようとする場合、貯湯タンクを収納しているケーシングを転用することができず、大型の専用のケーシングを製作し保管する必要が生じて、製造コスト及び保管コストが上昇するという問題も生じる。
【０００６】
本発明はかかる事情に鑑みてなされたもので、貯湯タンクを収納するケーシング内において太陽熱加熱手段に設けられた各機器の設置位置を選定してケーシングのコンパクト化を図った給湯装置を提供することを目的とする。
【課題を解決するための手段】
【０００７】
前記目的に沿う本発明に係る給湯装置は、底部に水が流入する給水口を、天井部に貯留された湯を送出す第１の出湯口をそれぞれ備えた貯湯タンクと、該貯湯タンクを収納する平断面矩形のケーシングとを有する給湯装置において、
前記ケーシング外にあって熱媒を加熱する太陽熱集熱部と、前記貯湯タンクの底部内側に収納された熱交換部と、該熱交換部から該太陽熱集熱部に熱媒を流す循環ポンプが設けられた往き配管及び該太陽熱集熱部から該熱交換部に熱媒を流す戻り配管を備えた熱媒循環路とを有する太陽熱加熱手段を付加し、
前記循環ポンプの上流側の前記往き配管に設けられ熱媒が一時貯留されるアキュームタンクと、該アキュームタンク内の熱媒の圧力が上昇した際に該アキュームタンクから流出する熱媒を受入れ、該アキュームタンク内の熱媒の圧力が減少した際に熱媒を該アキュームタンクに供給するリザーブタンクと、前記循環ポンプとを前記ケーシング内に配置し、しかも、前記リザーブタンクを前記ケーシング内の矩形角部に配置している。
【０００８】
本発明に係る給湯装置において、前記貯湯タンクは、前記第１の出湯口が天井部に、湯が流入する注湯口が前記天井部又はその周囲に設けられた第１のサブタンクと、前記給水口が底部に設けられると共に該底部内側に前記熱交換部が収納された第２のサブタンクと、該第１のサブタンクの下部と該第２のサブタンクの上部を接続する連通管とを有し、しかも、前記第１のサブタンク及び前記第２のサブタンクは前記ケーシングの底板に並べて立設され、前記リザーブタンクは前記第２のサブタンクと前記ケーシングの隙間に配置されていることが好ましい。
また、前記リザーブタンクは、底部が連結された第１、第２のサブリザーブタンクからなって、該第１、第２のサブリザーブタンクの底部が連結管を介して前記アキュームタンクに連結され、前記第１、第２のサブリザーブタンクは、前記ケーシングと前記第２のサブタンクとの間に形成される２箇所の隙間にそれぞれ配置され、前記第１、第２のサブリザーブタンクの底部には熱媒の排出機構が設けられていることが好ましい。
【０００９】
本発明に係る給湯装置において、前記第１、第２のサブリザーブタンクの上部は第２の連結管を介して連結し、該第１及び第２のサブリザーブタンクの上部と該第２の連結管のいずれか一方又は双方には該第１、第２のサブリザーブタンクを大気開放する通気管が接続されていることが好ましい。
【発明の効果】
【００１０】
本発明に係る給湯装置においては、リザーブタンクをケーシング内の矩形角部に配置してケーシング内の空きスペースを有効活用するので、太陽熱加熱手段の熱交換部が収納される貯湯タンク用のケーシングをそのまま使用できる。
【００１１】
本発明に係る給湯装置において、貯湯タンクが、第１のサブタンクと、第２のサブタンクと、第１のサブタンクの下部と第２のサブタンクの上部を接続する連通管とを有し、しかも、第１のサブタンク及び第２のサブタンクはケーシングの底板に並べて立設され、リザーブタンクは第２のサブタンクとケーシングの隙間に配置されている場合、ケーシング内の大きな空きスペースを有効利用できる。
【００１２】
本発明に係る給湯装置において、リザーブタンクが、底部が連結された第１、第２のサブリザーブタンクからなって、第１、第２のサブリザーブタンクの底部が連結管を介してアキュームタンクに連結され、第１、第２のサブリザーブタンクは、ケーシングと第２のサブタンクとの間に形成される２箇所の隙間にそれぞれ配置され、第１、第２のサブリザーブタンクの底部には熱媒の排出機構が設けられている場合、排出機構を操作して第１、第２のサブリザーブタンクからの熱媒の排出作業を同時に行うことができ、作業性の向上と、部品点数の削減によるコストダウンを図ることができる。
【００１３】
本発明に係る給湯装置において、第１、第２のサブリザーブタンクの上部が第２の連結管を介して連結し、第１及び第２のサブリザーブタンクの上部と第２の連結管のいずれか一方又は双方には第１、第２のサブリザーブタンクを大気開放する通気管が接続されている場合、通気管を長くすることで第１、第２のサブリザーブタンクの熱媒の蒸発を抑制できる。
【発明を実施するための最良の形態】
【００１４】
続いて、添付した図面を参照しつつ、本発明を具体化した実施の形態につき説明し、本発明の理解に供する。
ここで、図１は本発明の一実施の形態に係る給湯装置の貯湯タンクを収納するケーシング内の機器配置を示す一部省略斜視図、図２は同給湯装置の説明図、図３は同給湯装置の貯湯タンクを収納するケーシング内の機器配置を示す側面図、図４はケーシング内の第１及び第２のサブタンク、第１及び第２のサブリザーブタンクの配置を示す平面図である。
【００１５】
図１、図２に示すように、本発明の一実施の形態に係る給湯装置１０は、底部に水が流入する給水口１１を、天井部に貯留された湯を送出す第１の出湯口１２をそれぞれ備えた貯湯タンク１３と、貯湯タンク１３の底部に設けられた取水口１４から取出した水を深夜電力によって湯にして貯湯タンク１３の天井部周囲に設けられた注湯口１５を介して貯湯タンク１３に供給する加熱源１６と、貯湯タンク１３を収納する平断面矩形のケーシング２５とを有している。また、給湯装置１０には、ケーシング２５外にあって、熱媒の一例である不凍液を加熱する太陽熱集熱部１７と、貯湯タンク１３の底部内側に収納された熱交換部１８と、熱交換部１８から太陽熱集熱部１７に不凍液を流す循環ポンプ１９が設けられた往き配管２０及び太陽熱集熱部１７から熱交換部１８に不凍液を流す戻り配管２１を備えた熱媒循環路２２とを有する太陽熱加熱手段２３が付加されている。更に、給湯装置１０には、第１の出湯口１２に接続されて湯を供給する給湯回路２４が設けられている。
以下、図１、図２を参照しながら給湯装置１０について説明し、次いで、図１、図３、図４を参照しながらケーシング２５内の機器配置について説明する。
【００１６】
貯湯タンク１３は、第１の出湯口１２が天井部に、湯が流入する注湯口１５が天井部の周囲（又は天井部）に設けられた第１のサブタンク２６と、給水口１１が底部に設けられると共に底部内側に熱交換部１８が収納された第２のサブタンク２７と、第１のサブタンク２６の下部と第２のサブタンク２７の上部を接続する連通管２８とを有している。ここで、給水口１１と図示しない給水配管とは、両側にそれぞれ逆止弁２９、３０が設けられた導水管３１を介して接続し、導水管３１で逆止弁２９、３０の間の部分には給水配管から流入する水の温度を測定する温度測定手段の一例である給水サーミスタ３２と給水配管から流入する水の圧力を調整する減圧弁３３が設けられている。
【００１７】
加熱源１６は、水を加熱して湯にするヒートポンプユニット３４と、第２のサブタンク２７の底部に設けられた取水口１４から取出した水をヒートポンプユニット３４の入口側に供給する沸上げポンプ３５を備えたヒートポンプ往き配管３６と、ヒートポンプユニット３４の出口側と第１のサブタンク２６の注湯口１５を接続してヒートポンプユニット３４で作った湯を第１のサブタンク２６に供給するヒートポンプ戻り配管３７とを有している。これによって、第２のサブタンク２７の底部に設けられた取水口１４から取出した水を湯にして注湯口１５を介して第１のサブタンク２６に供給して貯めることができる。
【００１８】
更に、加熱源１６は、ヒートポンプ戻り配管３７に設けられたヒートポンプ戻り三方弁３８を介してヒートポンプユニット３４で作った湯を第２のサブタンク２７の底部に戻す第２のヒートポンプ戻り配管３９を有している。ヒートポンプ戻り三方弁３８を切換えることで、第２のサブタンク２７から取出した水を湯にして、第２のヒートポンプ戻り配管３９を介して第２のサブタンク２７に戻して貯めることができる。このため、日中に太陽熱集熱部１７で加熱した不凍液で第２のサブタンク２７の水を温め、温められた水を夜間にヒートポンプユニット３４で加熱して湯にして第２のサブタンク２７に貯めることができる。
【００１９】
熱媒循環路２２は、太陽熱集熱部１７で加熱された不凍液を熱交換部１８へ流す戻り配管２１と、熱交換部１８を通過した不凍液を太陽熱集熱部１７へ流す往き配管２０と、往き配管２０に取付けられ熱交換部１８から太陽熱集熱部１７に移動する不凍液を上部から流入させて一時貯めて下部から流出させるアキュームタンク４０と、アキュームタンク４０の下流側の往き配管２０に取付けられた循環ポンプ１９とを備えている。また、熱媒循環路２２は、アキュームタンク４０の側部に接続する連結管４１を介してアキュームタンク３９と底部が連結された第１、第２のサブリザーブタンク４２、４３を有している。この第１のサブリザーブタンク４２と第２のサブリザーブタンク４３とでリザーブタンクを構成している。なお、連結管４１の第１及び第２のサブリザーブタンク４２、４３を連通している部分には、第１、第２のサブリザーブタンク４２、４３内の不凍液を排出させる排出機構の一例である排出バルブ４４が設けられている。
【００２０】
アキュームタンク４０と第１、第２のサブリザーブタンク４２、４３を連結管４１を介して接続することで、アキュームタンク４０内の不凍液が膨張すると、不凍液を連結管４１を介して第１、第２のサブリザーブタンク４２、４３に流入させることができ、熱媒循環路２２内の不凍液の圧力が上昇するのを防止できる。また、アキュームタンク４０内の不凍液の温度が低下して不凍液が収縮すると、第１、第２のリザーブタンク４２、４３から不凍液が連結管４１を介してアキュームタンク４０内に流入して、熱媒循環路２２内を不凍液で満たすことができる。
【００２１】
ここで、不凍液の第１、第２のサブリザーブタンク４２、４３への流入、及び第１、第２のサブリザーブタンク４２、４３からの不凍液の流出は、第１、第２のサブリザーブタンク４２、４３の底部から行われるため、不凍液の流入及び流出時に第１、第２のサブリザーブタンク４２、４３に貯留された不凍液の液面が激しく変動することがなく、不凍液に空気が巻き込まれるのを防止できる。更に、連結管４１に不凍液の排出バルブ４４が設けられているので、排出バルブ４４を操作して第１、第２のサブリザーブタンク４２、４３からの不凍液の排出作業を同時に行うことができ、作業性の向上と、部品点数の削減によるコストダウンを図ることができる。
【００２２】
更に、熱媒循環路２２は、戻り配管２１に設けられたソーラー三方弁４５を介して一端側が接続し、他端側がアキュームタンク４０の上部に接続されるバイパス路４６と、太陽熱集熱部１７とソーラー三方弁４５の間の戻り配管２１に設けられた温度検出手段の一例であるソーラー戻りサーミスタ４７とを有している。これによって、ソーラー戻りサーミスタ４７で測定した不凍液の温度と、第２のサブタンク２７の底部に貯留されている水の温度との温度差を求め、温度差が、例えば５℃以上の場合を集熱運転可と判定し、温度差が、例えば５℃未満の場合を集熱運転否と判定することができる。
【００２３】
そして、集熱運転可と判定された場合、ソーラー三方弁４５を操作してバイパス路４６と戻り配管２１を非連通状態にして循環ポンプ１９を運転することで、不凍液を戻り配管２１を介して熱交換部１８に供給し、第２のサブタンク２７内の水を加熱することができる。一方、集熱運転否と判定された場合、ソーラー三方弁４５を操作してバイパス路４６と戻り配管２１を連通状態にすると共に循環ポンプ１９を定期的（例えば１０〜２０分）に一定時間（例えば、３〜５分間）だけ運転して、不凍液を太陽熱集熱部１７から戻り配管２１の一部、ソーラー三方弁４５、バイパス路４６、アキュームタンク４０、及び往き配管２０の一部を用いて循環させることができる。これにより、集熱運転が可能な場合だけ、不凍液が熱交換部１８に供給されるので、太陽熱集熱部１７と熱交換部１８の間で不凍液が無駄に循環されることがなくなり熱媒循環路２２の省エネ運転が可能になる。
【００２４】
第１、第２のサブリザーブタンク４２、４３の上部は第２の連結管４８を介して連結し、第２の連結管４８には、第１、第２のサブリザーブタンク４２、４３を大気開放する通気管４９が接続されている。第１、第２のサブリザーブタンク４２、４３を大気開放することで、不凍液が加熱されてアキュームタンク４０内の不凍液の圧力が大気圧より高くなると、連結管４１を介してアキュームタンク４０から不凍液を流出させて第１、第２のサブリザーブタンク４２、４３で受入れることができる。また、不凍液の温度が低下してアキュームタンク４０内の不凍液の圧力が大気圧未満になると、第１、第２のサブリザーブタンク４２、４３内の不凍液を連結管４１を介してアキュームタンク４０に供給することができる。
【００２５】
給湯回路２４は、第１のサブタンク２６の天井部の第１の出湯口１２に接続された出湯管５０と第２のサブタンク２７の天井部に設けられた第２の出湯口５１に接続された第２の出湯管５２にそれぞれ接続し第１の出湯口１２から出湯する湯と第２の出湯口５１から出湯する湯を混合するソーラー混合弁５３を有している。更に、給湯回路２４は、ソーラー混合弁５３の出口側に接続する湯供給管５４と導水管３１の減圧弁３３と逆止弁２９の中間部分に接続する第２の導水管５５とそれぞれ接続し湯供給管５４で送られる湯と第２の導水管５５で送られる水を混合する給湯混合弁５６と、給湯混合弁５６の出口側に接続する給湯配管５７とを有している。ここで、湯供給管５４と給湯混合弁５６とは逆止弁５８を介して接続し、第２の導水管５５と給湯混合弁５６とは逆止弁５９を介して接続している。また、湯供給管５４には湯供給管５４を流れる湯の温度を測定する温度測定手段の一例であるソーラー給湯サーミスタ６０が設けられ、給湯配管５７には給湯配管５７を流れる湯の温度を測定する温度測定手段の一例である給湯サーミスタ６１が設けられている。
【００２６】
続いて、給湯装置１０の貯湯タンク１３を収納するケーシング２５内の機器配置について、図１、図３、図４を参照しながら説明する。
図１、図３、図４に示すように、平断面矩形のケーシング２５内には、貯湯タンク１３を構成する第１、第２のサブタンク２６、２７の他に、循環ポンプ１９の上流側の往き配管２０に設けられたアキュームタンク４０及び第１及び第２のサブリザーブタンク４２、４３が収納されている。そして、ケーシング２５は、平面視して長方形の底板６２にサポート６７を介して、底板６２の外側を囲むように立設配置されている。また、底板６２の四隅には、脚部材６５が取付けられている。なお、アキュームタンク４０と第１のサブタンク２６の間には、仕切り壁６６が底板６２に立設されている。これにより、仕切り壁６６を介してアキュームタンク４０を底板６２の上方に配置することができると共に、他の機器類及び配管類も仕切り壁６６を介して配置することができる。
【００２７】
ここで、第１のサブタンク２６及び第２のサブタンク２７は、第１のサブタンク２６をアキュームタンク４０側にして底板６２に並べて立設されている。また、第１、第２のサブリザーブタンク４２、４３は、ケーシング２５と第２のサブタンク２７との間に形成される２箇所の隙間にそれぞれ底板６２に対して立設状態で配置されている。そして、アキュームタンク４０と第１、第２のサブリザーブタンク４２、４３を連通する連結管４１は、アキュームタンク４０から下方の底板６２まで下降し、底板６２上を第１及び第２のサブリザーブタンク４２、４３に向けて延伸し、分岐して第１、第２のサブリザーブタンク４２、４３の下部にそれぞれ接続している。なお、分岐部の手前側には排出バルブ４４が取付けられ、排出バルブ４４の排出口６８は底板６２を貫通してケーシング２５の外部に設けられている。これによって、排出バルブ４４を開けることで、第１、第２のサブリザーブタンク４２、４３内の不凍液を同時に外部に排出することができる。
【００２８】
第１、第２のサブリザーブタンク４２、４３の上部を連通する第２の連結管４８は、第２のサブタンク２７に沿って上方に向けて配置されている。そして、第２の連結管４８と連通する通気管４９は、第２の連結管４８の最上部に接続され、第２のサブタンク２７の上部側を通過して及び第１のサブタンク２６の上部に達した後、第１のサブタンク２６に沿って底板６２まで下降し、ケーシング２５を貫通して外部に突出している。これによって、第１、第２のサブリザーブタンク４２、４３から不凍液が溢れ出しても、ケーシング２５の外部で回収できる。
【００２９】
以上、本発明を、実施の形態を参照して説明してきたが、本発明は何ら上記した実施の形態に記載した構成に限定されるものではなく、特許請求の範囲に記載されている事項の範囲内で考えられるその他の実施の形態や変形例も含むものである。
例えば、第１及び第２のサブリザーブタンクの上部にそれぞれ通気管を設けてもよい。
また、貯湯タンクが１本のタンクの場合は、第１、第２のサブリザーブタンクを、ケーシングの隣り合う２箇所の隅（矩形角部）にそれぞれ配置することができる。
更に、給湯装置の加熱源として、ヒートポンプユニット式の加熱源を例に説明したが、電気ヒータ式又は灯油燃焼式等の加熱源を使用することも可能である。
【図面の簡単な説明】
【００３０】
【図１】本発明の一実施の形態に係る給湯装置の貯湯タンクを収納するケーシング内の機器配置を示す一部省略斜視図である。
【図２】同給湯装置の説明図である。
【図３】同給湯装置の貯湯タンクを収納するケーシング内の機器配置を示す側面図である。
【図４】ケーシング内の第１及び第２のサブタンク、第１及び第２のサブリザーブタンクの配置を示す平面図である。
【符号の説明】
【００３１】
１０：給湯装置、１１：給水口、１２：第１の出湯口、１３：貯湯タンク、１４：取水口、１５：注湯口、１６：加熱源、１７：太陽熱集熱部、１８：熱交換部、１９：循環ポンプ、２０：往き配管、２１：戻り配管、２２：熱媒循環路、２３：太陽熱加熱手段、２４：給湯回路、２５：ケーシング、２６：第１のサブタンク、２７：第２のサブタンク、２８：連通管、２９、３０：逆止弁、３１：導水管、３２：給水サーミスタ、３３：減圧弁、３４：ヒートポンプユニット、３５：沸上げポンプ、３６：ヒートポンプ往き配管、３７：ヒートポンプ戻り配管、３８：ヒートポンプ戻り三方弁、３９：第２のヒートポンプ戻り配管、４０：アキュームタンク、４１：連結管、４２：第１のサブリザーブタンク、４３：第２のサブリザーブタンク、４４：排出バルブ、４５：ソーラー三方弁、４６：バイパス路、４７：ソーラー戻りサーミスタ、４８：第２の連結管、４９：通気管、５０：出湯管、５１：第２の出湯口、５２：第２の出湯管、５３：ソーラー混合弁、５４：湯供給管、５５：第２の導水管、５６：給湯混合弁、５７：給湯配管、５８、５９：逆止弁、６０：ソーラー給湯サーミスタ、６１：給湯サーミスタ、６２：底板、６５：脚部材、６６：仕切り壁、６７：サポート、６８：排出口
【図１】
2010145042.tif 000003
【図２】
2010145042.tif 000004
【図３】
2010145042.tif 000005
【図４】
2010145042.tif 000006